(57)【要約】      （修正有）【課題】レンズをケース本体内に容易に位置決め可能な取付構造を提供する。【解決手段】レンズ２０の板状部２２それぞれをケース本体１０内のガイド部１４に形成されたスリットに通して第２方向にスライドさせるだけで、ケース本体１０内にレンズ２０を取り付けることができる。そのため、レンズ２０の板状部２２と、ガイド部１４のスリットとの位置関係を、レンズ２０の取付状態に合わせておくことにより、作業者が特に位置決めを意識することなく、レンズ２０をケース本体１０内に取り付ける際に確実に適切な位置，角度で取り付けることができるようになる。【選択図】図１
2008089780.tif 000002
【特許請求の範囲】
【請求項１】
所定の第１方向に向けて光を発する位置関係でランプが備えられると共に、前記第１方向と交差する第２方向に向けて貫通孔が形成されたケース本体に、前記ランプから前記貫通孔を通じて前記ケース本体の外側まで到達する形状のレンズを取り付ける取付構造であって、
前記レンズには、該レンズ外周面のうち、該レンズにおける光の経路を中心として対向する領域それぞれから突出しており、かつ、当該レンズを前記ケース本体に取り付けた場合における前記第２方向に沿って延びる一組の板状部が設けられ、
前記ケース本体内には、前記貫通孔から前記第２方向に沿って延びる直線を中心として対向する位置それぞれに、前記第２方向に沿ったスリットを他方の位置に形成されたスリットと向かい合うように形成したガイド部が、それぞれの前記スリットに前記レンズにおける板状部をそれぞれ同時に通過させることのできる間隔で設けられており、
前記レンズを、該レンズにおける板状部それぞれを前記ガイド部のスリットに嵌めた状態で、該レンズの一端が前記貫通孔を通じて前記ケース本体の外側に到達するまで、前記第２方向にスライドさせることにより、当該レンズが前記ケース本体内に取り付けられる
ことを特徴とするレンズの取付構造。
【請求項２】
前記レンズにおける板状部には、該板状部の突出する方向における端部に、該端部同士の間隔を、前記ガイド部それぞれにおけるスリットの間隔よりも広くするための係止突起が形成され、
前記ガイド部は、少なくとも一方が他方から離れる方向へ弾性変形可能に構成されており、
前記レンズを、前記板状部の係止突起が前記ガイド部に接触するまで前記第２方向にスライドさせた後、前記板状部の係止突起が前記ガイド部を通過するまで、前記ガイド部の少なくとも一方を弾性変形させながら前記第２方向にスライドさせることにより、当該レンズが前記ケース本体内に取り付けられる
ことを特徴とする請求項１に記載のレンズの取付構造。
【請求項３】
前記ガイド部は、前記貫通孔に対向する側の端部が平面状に形成されており、
前記レンズにおける板状部の係止突起は、当該レンズの他端側に対応する端部が平面状に形成されており、
前記レンズを、前記板状部の係止突起が前記ガイド部を通過するまで前記第２方向にスライドさせると、前記レンズにおける板状部の係止突起に形成された平面状の領域と、前記ガイド部に形成された平面状の領域とが接触することにより、前記スライドさせた方向と反対方向への当該レンズの変位が規制される
ことを特徴とする請求項２に記載のレンズの取付構造。
【請求項４】
前記レンズにおける板状部には、当該レンズを前記ケース本体に取り付けた場合に前記ケース本体または前記ガイド部に接触する接触面が形成されており、
前記レンズを、該レンズにおける板状部それぞれを前記ガイド部のスリットに嵌めた状態で、該レンズの一端が前記貫通孔を通じて前記ケース本体の外側に到達するまで、前記第２方向にスライドさせると、前記レンズにおける板状部に形成された接触面が、前記ケース本体または前記ガイド部に接触することにより、前記スライドさせた方向への当該レンズの変位が規制される
ことを特徴とする請求項１から３のいずれかに記載のレンズの取付構造。
【発明の詳細な説明】
【技術分野】
【０００１】
本発明は、ランプが備えられるケース本体に、ランプからケース本体の外側まで到達する形状のレンズを取り付けるための取付構造に関する。
【背景技術】
【０００２】
従来から、電子機器などのケース本体では、各種表示を行うためのランプを、ケース本体に形成された貫通孔から直接突出させるような位置関係で実装している（特許文献１参照）。
【０００３】
しかし、上述したような構造では、ランプを貫通孔から直接突出させることができる位置に取り付けたり、ランプが貫通孔から突出するようにそのリード線を曲げたりする必要がある。
【０００４】
そのため、近年では、ケース本体の貫通孔にレンズを装着し、このレンズの一端に隣接するような位置関係でランプを実装することも行われている。
【特許文献１】実開平０５−７７９８３号
【発明の開示】
【発明が解決しようとする課題】
【０００５】
しかし、上述したような構造では、レンズをランプと貫通孔との位置関係に応じた形状にしなければならないため、そのレンズをケース本体内に取り付ける際に、取付位置や取付角度などを適切にするなど位置決めが難しくなってしまう。
【０００６】
本発明は、このような課題を解決するためになされたものであり、その目的は、レンズをケース本体内に取り付ける際の位置決めを容易ならしめるための技術を提供することである。
【課題を解決するための手段】
【０００７】
上記課題を解決するため請求項１に記載のレンズの取付構造は、所定の第１方向に向けて光を発する位置関係でランプが備えられると共に、前記第１方向と交差する第２方向に向けて貫通孔が形成されたケース本体に、前記ランプから前記貫通孔を通じて前記ケース本体の外側まで到達する形状のレンズを取り付ける取付構造である。
【０００８】
ここで、前記レンズには、該レンズ外周面のうち、該レンズにおける光の経路を中心として対向する領域それぞれから突出しており、かつ、当該レンズを前記ケース本体に取り付けた場合における前記第２方向に沿って延びる一組の板状部が設けられている。
【０００９】
また、前記ケース本体内には、前記貫通孔から前記第２方向に沿って延びる直線を中心として対向する位置それぞれに、前記第２方向に沿ったスリットを他方の位置に形成されたスリットと向かい合うように形成したガイド部が、それぞれの前記スリットに前記レンズにおける板状部をそれぞれ同時に通過させることのできる間隔で設けられている。
【００１０】
そして、前記レンズを、該レンズにおける板状部それぞれを前記ガイド部のスリットに嵌めた状態で、該レンズの一端が前記貫通孔を通じて前記ケース本体の外側に到達するまで、前記第２方向にスライドさせることにより、当該レンズが前記ケース本体内に取り付けられる。
【００１１】
なお、この構成におけるレンズの板状部は、レンズにおける光の経路を中心として対向する領域それぞれから突出していればよく、それぞれどのような方向に突出していてもよい。また、その板状部が延びる長さについても、特に限定されない。
【００１２】
また、上述したガイド部は、それぞれ第２方向に沿ったスリットが形成されていればよく、その具体的な形状については特に限定されない。
また、上述した取付構造については、請求項２に記載の取付構造のように構成してもよい。この取付構造において、前記レンズにおける板状部には、該板状部の突出する方向における端部に、該端部同士の間隔を、前記ガイド部それぞれにおけるスリットの間隔よりも広くするための係止突起が形成されている。また、前記ガイド部は、少なくとも一方が他方から離れる方向へ弾性変形可能に構成されている。そして、前記レンズを、前記板状部の係止突起が前記ガイド部に接触するまで前記第２方向にスライドさせた後、前記板状部の係止突起が前記ガイド部を通過するまで、前記ガイド部の少なくとも一方を弾性変形させながら前記第２方向にスライドさせることにより、当該レンズが前記ケース本体内に取り付けられる。
【００１３】
なお、この構成における板状部の係止突起は、板状部の間隔を、ガイド部それぞれにおけるスリットの間隔よりも広くすることができれば、その具体的な突出量や形状は特に限定されない。ただ、後述のようにレンズの変位を抑制する意味では、レンズの他端側に対応する端部を、ガイド部における貫通孔に対向する側の端部に合わせた形状とすることが望ましい。
【００１４】
例えば、ガイド部における貫通孔に対向する側の端部を平面状に形成した場合であれば、請求項３に記載のように、前記レンズにおける板状部の係止突起は、当該レンズの他端側に対応する端部が平面状に形成されているとよい。
【００１５】
この場合、前記レンズを、前記板状部の係止突起が前記ガイド部を通過するまで前記第２方向にスライドさせると、前記レンズにおける板状部の係止突起に形成された平面状の領域と、前記ガイド部に形成された平面状の領域とが接触することにより、前記スライドさせた方向と反対方向への当該レンズの変位が規制される。
【００１６】
また、上述した１から３のいずれかに記載の取付構造は、請求項４に記載の取付構造のように構成してもよい。
この取付構造において、前記レンズにおける板状部には、当該レンズを前記ケース本体に取り付けた場合に前記ケース本体または前記ガイド部に接触する接触面が形成されている。
【００１７】
そして、前記レンズを、該レンズにおける板状部それぞれを前記ガイド部のスリットに嵌めた状態で、該レンズの一端が前記貫通孔を通じて前記ケース本体の外側に到達するまで、前記第２方向にスライドさせると、前記レンズにおける板状部の係止突起に形成された接触面が、前記ケース本体または前記ガイド部に接触することにより、前記スライドさせた方向への当該レンズの変位が規制される。
【００１８】
なお、この構成における板状部の接触面は、ケース本体に接触する面として形成する場合であれば、板状部を、レンズをケース本体に取り付けた場合におけるケース本体の貫通孔周辺領域に接触するまで延びた形状とし、その先端を接触面とすればよい。また、ガイド部に接触する面として形成する場合であれば、板状部におけるレンズの他端側（係止突起が形成されている場合は、それよりも更に他端側）に対応する領域に、両板状部の間隔が両ガイド部におけるスリットの間隔よりも広い形状となるような突起を形成し、この突起におけるレンズの一端側に対応する領域を接触面とすればよい。
【発明の効果】
【００１９】
請求項１に記載のレンズの取付構造であれば、レンズの板状部それぞれをケース本体内のガイド部に形成されたスリットに通して第２方向にスライドさせるだけで、ケース本体内にレンズを取り付けることができる。そのため、レンズにおける板状部と、ガイド部のスリットとの位置関係を、レンズの取付状態に合わせておくことにより、作業者が特に位置決めを意識することなく、レンズをケース本体内に取り付ける際に確実に適切な位置，角度で取り付けることができるようになる。
【００２０】
また、ガイド部のスリットにレンズの板状部を嵌め込んでスライドさせることによりレンズを取り付けていることから、このレンズがそのスリットの形成された方向と交差する方向に変位することを確実に抑制した状態でレンズを固定することができる。
【００２１】
また、上述したようにレンズを用いる構造では、レンズの一端をケース本体の外側まで到達させなければ、その一端からの光がケース本体内に漏れてしまい、表示としての明度が落ちてしまう恐れがある。ところが、上述した構造では、レンズを貫通孔の形成された方向である第２方向にスライドさせてレンズの取り付けを実現することにより、レンズの一端をケース本体の外側まで到達させることができるため、その一端からの光が漏れることによる明度の低下を防止することができる。
【００２２】
また、上述したレンズは、光を導くレンズ本体に板状部を設けた形状となっており、この板状部をレンズ本体の形状と無関係に設けることができるため、レンズ本体の形状に対する設計の自由度が高い。
【００２３】
請求項２に記載の取付構造によれば、レンズの板状部それぞれに形成された係止突起によって、その板状部の間隔が、ガイド部それぞれにおけるスリットの間隔よりも広くなっているため、ガイド部のスリットに板状部を嵌めた状態でレンズを第２方向にスライドさせると、その係止突起がガイド部に接触することとなる。
【００２４】
このとき、少なくとも一方のガイド部が他方のガイド部から離れる方向に弾性変形できることから、ガイド部を弾性変形させることで、レンズを板状部の係止突起がガイド部を通過するまで更にスライドさせることができる。
【００２５】
そうすると、ガイド部を通過した板状部の係止突起は、そのガイド部における貫通孔側の端部に引っ掛かった状態となるため、これにより、レンズがそのスライドさせた方向と反対方向に変位することを抑制した状態でレンズを固定することができる。
【００２６】
請求項３に記載の取付構造によれば、レンズを板状部の係止突起がガイド部を通過するまで更にスライドさせた際、ガイド部において貫通孔に対向する側の端部である平面状の領域と、係止突起においてレンズの他端側に対応する端部である平面状の領域とが面で接触する。これにより、レンズの板状部がガイド部における貫通孔側の端部に引っ掛かった状態となり、レンズがそのスライドさせた方向と反対方向に変位することを確実に抑制した状態でレンズを固定することができる。
【００２７】
請求項４に記載の取付構造によれば、レンズの板状部それぞれをガイド部のスリットに嵌めた状態で、レンズの一端が貫通孔を通じてケース本体の外側に到達するまで第２方向にスライドさせると、レンズの板状部それぞれに形成された接触面が、ケース本体またはガイド部に接触することとなる。
【００２８】
これにより、レンズは、その一端がケース本体の外側に到達した際に、板状部が接触面によりケース本体またはガイド部に引っ掛かった状態となるため、これにより、レンズがそのスライドさせた方向に変位することを確実に抑制した状態でレンズを固定することができる。
【発明を実施するための最良の形態】
【００２９】
以下に本発明の実施形態を図面と共に説明する。
（１）全体構成
ケース１は、図１に示すように、電子機器としての外装を構成するケース本体１０，ケース本体１０の内部に備えられるランプ（本実施形態では、ＬＥＤ）１００からの光をケース本体１０の外部に導くためのレンズ２０などからなる。
【００３０】
ケース本体１０は、それぞれ樹脂材料で成形された２つのケース片１０ａ，１０ｂからなり、これらを組み合わせることにより内部に回路基板２００などを実装するための実装空間が形成される。
【００３１】
また、このケース本体１０は、その実装空間に、所定の第１方向（図１（ａ）における上方向；以下同様）に向けて光を発する位置関係でランプ１００が実装されると共に、この第１方向と交差する第２方向（図１における左方向；以下同様）に向けてレンズ２０の一端（図１における左端；以下同様）を通すための貫通孔１２が、一方のケース片１０ａに形成されている。また、このケース片１０ａにおける貫通孔１２周辺の領域には、貫通孔１２の形状に合わせてケース本体１０内部へ突出する筒状部１３が形成されている。
【００３２】
また、２つのケース片１０ａ，１０ｂのうち、一方のケース片１０ａ内には、それぞれケース片１０ａの内側からケース本体１０の幅方向（図１（ａ）における上下方向）に沿って延びる弾性変形可能な太さの柱状部材である一組のガイド部１４が設けられている。
【００３３】
また、これらガイド部１４には、図２に示すように、貫通孔１２から第２方向に沿って延びる直線（図２のＣ参照）を中心として対向する領域（他方のガイド部１４側の領域）それぞれに、第２方向に沿ったスリット１６が、他方の位置に形成されたスリット１６と向かい合うように形成されている。
【００３４】
なお、これらガイド部１４は、それぞれのスリット１６に後述するレンズ２０の板状部２２をそれぞれ同時に通過させることのできる間隔で設けられている（図１参照）。
レンズ２０は、図３に示すように、レンズ２０外周面のうち、その光の経路（図３のＬ参照）を中心として対向する領域それぞれから平行に突出しており、かつ、このレンズ２０をケース本体１０に取り付けた場合における第２方向に沿って延びる一組の板状部２２が設けられている。
【００３５】
この板状部２２には、その突出する方向における端部に、両板状部２２における端部同士の間隔を、両ガイド部１４におけるスリット１６の間隔よりも広くするための係止突起２４が形成されている。
【００３６】
この係止突起２４は、レンズ２０の一端側から他端側に向けてその突出量が多くなるような形状となっており、この他端側に対応する領域が、板状部２２の突出している方向に沿った面と平行な平面状に形成されている。
【００３７】
また、板状部２２は、その一端側の端部が、レンズ２０をケース本体１０に取り付けた場合にケース本体１０における貫通孔１２周辺領域に接触する領域まで延びており、その端部が、貫通孔１２周辺領域に合わせた平面状の接触面として形成されている。
【００３８】
このようなケース本体１０とレンズ２０との取付は、レンズ２０を、板状部２２それぞれをガイド部１４のスリット１６に嵌めた状態で、レンズ２０の一端が筒状部１３および貫通孔１２を通じてケース本体１０の外側に到達するまで、第２方向にスライドさせることにより実現される。
【００３９】
この取付の過程では、板状部２２の係止突起２４がガイド部１４に接触することとなるが、ガイド部１４が弾性変形可能に構成されているため、レンズ２０を、板状部２２の係止突起２４がガイド部１４を通過するまで、ガイド部１４を弾性変形させながら第２方向にスライドさせることとなる。
【００４０】
こうして所定の位置に取り付けられたレンズ２０は、板状部２２の係止突起２４に形成された平面状の領域がガイド部１４に形成された平面状の領域（貫通孔１２と対向する側の面）に接触し、これにより、そのスライドさせた方向と反対方向へのレンズ２０の変位が規制される。さらに、板状部２２におけるレンズ２０の一端側に形成された平面状の領域が、ケース本体１０に接触し、これにより、そのスライドさせた方向へのレンズ２０の変位が規制される。
（２）作用，効果
上述したようなケース本体１０とレンズ２０との取付構造であれば、レンズ２０の板状部２２それぞれをケース本体１０内のガイド部１４に形成されたスリット１６に通して第２方向にスライドさせるだけで、ケース本体１０内にレンズ２０を取り付けることができる。そのため、レンズ２０の板状部２２と、ガイド部１４のスリット１６との位置関係を、レンズ２０の取付状態に合わせておくことにより、作業者が特に位置決めを意識することなく、レンズ２０をケース本体１０内に取り付ける際に確実に適切な位置，角度で取り付けることができるようになる。
【００４１】
また、ガイド部１４のスリット１６にレンズ２０の板状部２２を嵌め込んでスライドさせることによりレンズ２０を取り付けていることから、このレンズ２０がそのスリット１６の形成された方向と交差する方向に変位することを確実に抑制した状態でレンズ２０を固定することができる。
【００４２】
また、上述したようにレンズを用いる構造では、レンズの一端をケース本体の外側まで到達させなければ、その一端からの光がケース本体内に漏れてしまい、表示としての明度が落ちてしまう恐れがある。ところが、上述した構造では、レンズ２０を貫通孔１２の形成された方向である第２方向にスライドさせてレンズ２０の取り付けを実現することにより、レンズ２０の一端をケース本体１０の外側まで到達させることができるため、その一端からの光が漏れることによる明度の低下を防止することができる。
【００４３】
このとき、レンズ２０の一端側は、ケース片１０ａに形成された筒状部１３を通じて貫通孔１２に到達することから、ランプ１００からの光がケース本体１０内部に漏れてしまうことを、この筒状部１３によっても防止することができる。
【００４４】
また、上述したレンズ２０は、光を導く本体部分に板状部２２を設けた形状となっており、この板状部２２を本体部分の形状と無関係に設けることができるため、レンズ本体部分の形状に対する設計の自由度が高い。
【００４５】
そのため、レンズ本体の形状を円筒状やテーパ状とするなど自由な形状に対応することができ、また、上述した形状よりも光の経路を大きく曲げられるような形状とすることで、ケース本体１０においてどのような位置であっても光を導くことができるようになる。
【００４６】
また、上記取付構造では、レンズ２０の板状部２２それぞれに形成された係止突起２４によって、その板状部２２の間隔が、ガイド部１４それぞれにおけるスリット１６の間隔よりも広くなっているため、ガイド部１４のスリット１６に板状部２２を嵌めた状態でレンズ２０を第２方向にスライドさせると、その係止突起２４がガイド部１４に接触することとなる。
【００４７】
このとき、ガイド部１４が他方のガイド部１４から離れる方向に弾性変形できることから、ガイド部１４を弾性変形させることで、レンズ２０を板状部２２の係止突起２４がガイド部１４を通過するまで更にスライドさせることができる。
【００４８】
そうすると、ガイド部１４を通過した板状部２２の係止突起２４は、そのガイド部１４における貫通孔１２側の端部に引っ掛かった状態となるため、これにより、レンズ２０がそのスライドさせた方向と反対方向に変位することを抑制した状態でレンズ２０を固定することができる。
【００４９】
また、こうして、レンズ２０を板状部２２の係止突起２４がガイド部１４を通過するまで更にスライドさせた際、ガイド部１４における貫通孔１２に対向する側の端部である平面状の領域と、レンズ２０の他端側に対応する端部である平面状の領域とが面で接触する。これにより、レンズ２０の板状部２２がガイド部１４における貫通孔１２側の端部に引っ掛かった状態となり、レンズ２０がそのスライドさせた方向と反対方向に変位することを確実に抑制した状態でレンズ２０を固定することができる。
【００５０】
さらに、レンズ２０を、レンズ２０の一端が貫通孔１２を通じてケース本体１０の外側に到達するまで第２方向にスライドさせると、レンズ２０の板状部２２それぞれに形成された平面状の接触面が、ケース本体１０に接触することとなる。
【００５１】
これにより、レンズ２０は、その一端がケース本体１０の外側に到達した際に、板状部２２が接触面によりケース本体１０に引っ掛かった状態となるため、これにより、レンズ２０がそのスライドさせた方向に変位することを確実に抑制した状態でレンズ２０を固定することができる。
（３）変形例
以上、本発明の実施の形態について説明したが、本発明は、上記実施形態に何ら限定されることはなく、本発明の技術的範囲に属する限り種々の形態をとり得ることはいうまでもない。
【００５２】
例えば、上記実施形態においては、レンズ２０の板状部２２が、光の経路を中心として対向する領域それぞれから平行に突出している構成となっているものを例示した。しかし、この板状部２２は、光の経路を中心として対向する領域それぞれから突出していればよく、それぞれが平行に突出していなくてもよい。また、その板状部２２が第２方向に沿って延びる長さについても、特に限定されない。
【００５３】
また、上記実施形態においては、ケース片１０ａに形成されたガイド部１４が、それぞれ柱状に形成されているものを例示した。しかし、このガイド部１４は、スリット１６が形成されていればよく、その具体的な形状については柱状に限られず、棒状，板状，錐状としたり、ケース本体１０内壁にスリット１６を形成し、この領域をガイド部１４としてもよい。
【００５４】
また、上記実施形態において、板状部２２の係止突起２４は、両板状部２２の間隔を、両ガイド部１４におけるスリット１６の間隔よりも広くすることができれば、その具体的な突出量や形状は特に限定されない。
【００５５】
また、上記実施形態においては、係止突起２４においてレンズ２０の他端側に対応する端部と、ガイド部１４において貫通孔１２に対向する側の端部とがそれぞれ平面状に形成された構成を例示した。しかし、これら両端部は、一方の形状に他方の形状を合わせればよく、平面状以外の形状としてもよい。
【００５６】
また、上記実施形態においては、レンズ２０の板状部２２のうち、レンズ２０の一端側の端部に接触面が形成され、これがケース本体１０内部に接触するように構成されたものを例示した。しかし、この接触面は、板状部２２における一端側の端部以外に形成し、ケース本体１０内部以外に接触することで、レンズ２０の変位を規制するように構成してもよい。
【００５７】
例えば、図４に示すように、上記接触面として、ガイド部１４に接触する面を形成することが考えられる。この場合、板状部２２におけるレンズ２０の他端側（係止突起２４からガイド部１４の幅に相当する距離だけ更に他端側）に対応する領域に、両板状部の間隔が両ガイド部におけるスリットの間隔よりも広い形状となるような突起４０を形成し、この突起４０におけるレンズ２０の一端側に対応する領域を接触面とすればよい。
【図面の簡単な説明】
【００５８】
【図１】ケースの構成を示す断面図（ａ）および上面図（ｂ）
【図２】ガイド部材の構成を示す三面図
【図３】レンズの構成を示す三面図
【図４】別の実施形態におけるレンズの構成を示す三面図
【符号の説明】
【００５９】
１…ケース、１０…ケース本体、１０ａ…ケース片、１０ｂ…ケース片、１２…貫通孔、１３…筒状部、１４…ガイド部、１６…スリット、２０…レンズ、２２…板状部、２４…係止突起、４０…突起、１００…ランプ、２００…回路基板。
【図１】
2008089780.tif 000003
【図２】
2008089780.tif 000004
【図３】
2008089780.tif 000005
【図４】
2008089780.tif 000006